(57)【要約】【課題】  ビット敷地内から排出される水のＰＨ値の異常を防止することができるピット敷地内排水設備を提供する。【解決手段】  ピット敷地内排水設備は、タンク１が設置されたピット敷地１１内に溜まった水を排出するための排水弁３Ａ、３Ｂを備えたピット敷地内排水設備において、ピット敷地１１内に溜まった水のＰＨ値を検知するＰＨ検知器６と、ピット敷地１１内に溜まった水を希釈する希釈液を供給するための希釈弁７と、ＰＨ検知器６によって検知されたＰＨ値に応じて希釈弁７と排水弁３Ａ、３Ｂとを開閉するための制御器４とを設けた。【選択図】  図１
2005206177.tif 000002
【特許請求の範囲】
【請求項１】
タンクが設置されたピット敷地内に溜まった水を排出するための排水弁を備えたピット敷地内排水設備において、
前記ピット敷地内に溜まった水のＰＨ値を検知するＰＨ検知器と、
前記ピット敷地内に溜まった水を希釈する希釈液を供給するための希釈弁と、
前記ＰＨ検知器によって検知された前記ＰＨ値に応じて前記希釈弁と前記排水弁とを開閉するための制御器とを設けたことを特徴とするピット敷地内排水設備。
【請求項２】
前記制御器は、前記ＰＨ検知器によって検知された前記ＰＨ値が異常な値になったときに前記希釈弁を開き、前記ＰＨ値が正常な値に戻ったときに前記希釈弁を閉じて前記排水弁を開く請求項１に記載のピット敷地内排水設備。
【請求項３】
前記ピット敷地内に溜まった水は、雨水を含む請求項１に記載のピット敷地内排水設備。
【請求項４】
前記タンクには、酸性の液体が貯蔵され、
前記希釈液は、アルカリ性の液体を含む請求項１に記載のピット敷地内排水設備。
【請求項５】
前記タンクには、アルカリ性の液体が貯蔵され、
前記希釈液は、酸性の液体を含む請求項１に記載のピット敷地内排水設備。
【請求項６】
前記ピット敷地内に溜まった水を排出するための排水管をさらに備え、
前記ＰＨ検知器は、前記排水管の隣に配置されている請求項１に記載のピット敷地内排水設備。
【請求項７】
前記ピット敷地内に溜まった水を攪拌する攪拌機をさらに備える請求項１に記載のピット敷地内排水設備。
【請求項８】
前記攪拌機は、前記ＰＨ検知器の隣に配置されている請求項７に記載のピット敷地内排水設備。
【請求項９】
前記ピット敷地内の水位を検知する水位検知器をさらに備える請求項１に記載のピット敷地内排水設備。
【請求項１０】
前記タンクには、カ性ソーダが貯蔵され、
前記希釈液は、塩酸を含む請求項１に記載のピット敷地内排水設備。
【発明の詳細な説明】
【技術分野】
【０００１】
本発明は、タンクが設置されたピット敷地内に溜まった水を排出するピット敷地内排水設備に関する。
【背景技術】
【０００２】
化学工場、食品工場、薬品工場、電気工場および自動車工場等の各種工場、火力発電所、原子力発電所、石油精製所および天然ガス等の取り扱い施設においては、各種液体を貯蔵するタンクが設置されている。タンクの周りには、タンクに貯蔵された液体が事故によって流出した場合であっても、タンクから流出した液体がタンクの周囲へ流出することを防止するための防液堤によって囲まれたビット敷地が設けられている。
【０００３】
このビット敷地内には、事故が生じなくても雨水等が溜まるので、ビット敷地内に溜まった雨水等を排出するビット敷地内排水設備が設けられている。このビット敷地内排水設備は、日常的に点検されている。
【特許文献１】特開９−１５００１９号公報
【発明の開示】
【発明が解決しようとする課題】
【０００４】
しかしながら、前述したビット敷地内排水設備を日常的に点検するためには多大な労力が必要である。
【０００５】
また例えば、タンクに亀裂が生じると、タンクに貯蔵された化成ソータ等の液体が亀裂を通ってビット敷地内へ漏れて、ビット敷地内に溜まった水のＰＨ値が異常になり、ビット敷地内排水設備によってビット敷地内から排出される水のＰＨ値が、タンクが設置された地域の排出基準協定値を上回るおそれがある。
【０００６】
本発明の目的は、ビット敷地内から排出される水のＰＨ値の異常を防止することができるピット敷地内排水設備を提供することにある。
【課題を解決するための手段】
【０００７】
本発明に係るピット敷地内排水設備は、タンクが設置されたピット敷地内に溜まった水を排出するための排水弁を備えたピット敷地内排水設備において、前記ピット敷地内に溜まった水のＰＨ値を検知するＰＨ検知器と、前記ピット敷地内に溜まった水を希釈する希釈液を供給するための希釈弁と、前記ＰＨ検知器によって検知された前記ＰＨ値に応じて前記希釈弁と前記排水弁とを開閉するための制御器とを設けたことを特徴とする。
【発明の効果】
【０００８】
本発明によれば、ビット敷地内から排出される水のＰＨ値の異常を防止することができるピット敷地内排水設備を提供することにある。
【発明を実施するための最良の形態】
【０００９】
本実施の形態に係るピット敷地内排水設備においては、ピット敷地内に溜まった水のＰＨ値を検知するＰＨ検知器と、ピット敷地内に溜まった水を希釈する希釈液を供給するための希釈弁と、ＰＨ検知器によって検知されたＰＨ値に応じて希釈弁と排水弁とを開閉するための制御器とが設けられている。このため、タンクに生じた亀裂からダンクに貯蔵された液体がピット敷地内に漏れて溜まった水のＰＨ値に異常が生じても、ピット敷地内の水を速やかに希釈して排水することができる。
【００１０】
この実施の形態では、前記制御器は、前記ＰＨ検知器によって検知された前記ＰＨ値が異常な値になったときに前記希釈弁を開き、前記ＰＨ値が正常な値に戻ったときに前記希釈弁を閉じて前記排水弁を開くことが好ましい。
【００１１】
前記ピット敷地内に溜まった水は、雨水を含むことが好ましい。
【００１２】
前記タンクには、酸性の液体が貯蔵され、前記希釈液は、アルカリ性の液体を含むことが好ましい。
【００１３】
前記タンクには、アルカリ性の液体が貯蔵され、前記希釈液は、酸性の液体を含むことが好ましい。
【００１４】
前記ピット敷地内に溜まった水を排出するための排水管をさらに備え、前記ＰＨ検知器は、前記排水管の隣に配置されていることが好ましい。
【００１５】
前記ピット敷地内に溜まった水を攪拌する攪拌機をさらに備えることが好ましい。
【００１６】
前記攪拌機は、前記ＰＨ検知器の隣に配置されていることが好ましい。
【００１７】
前記ピット敷地内の水位を検知する水位検知器をさらに備えることが好ましい。
【００１８】
前記タンクには、カ性ソーダが貯蔵され、前記希釈液は、塩酸を含むことが好ましい。
【００１９】
以下、図面を参照して本発明の実施の形態を説明する。
【００２０】
図１は、本実施の形態に係るピット敷地内排水設備の構成を模式的に示す図である。タンク１の周りには、水溜め２と、タンク１に貯蔵された液体が事故によって水溜め２へ流出した場合であっても、水溜め２へ流出した液体が水溜め２の外へ流出することを防止するための防液堤１２によって囲まれたビット敷地１１が設けられている。タンク１に貯蔵された液体は、アルカリ性の液体、例えばカ性ソーダである。
【００２１】
ピット敷地内排水設備は、ピット敷地１１の水溜め２に溜まった水を排水溝９へ排出するために防液堤１２に設けられた排水管１２を備えている。排水管１２には、ビット敷地１１の外側に取り付けられた排水弁３Ａとビット敷地１１の内側に取り付けられた排水弁３Ｂとが設けられている。
【００２２】
排水弁３Ｂの近傍には、ピット敷地１１の水溜め２に溜まった水のＰＨ値を検知するＰＨ検知器６が設けられている。ピット敷地内排水設備は、ピット敷地１１内に溜まった水を希釈する希釈液を供給する希釈供給管８が設けられている。希釈供給管８には、希釈液の供給をオンオフする希釈弁７が設けられている。希釈液は、酸性の液体、例えば塩酸または硝酸である。
【００２３】
ピット敷地内排水設備は、ビット敷地１１内の水位を検知する水位検知器５と、ビット敷地１１内に溜まった水を攪拌する攪拌機１０とを備えている。
【００２４】
ピット敷地内排水設備には、ＰＨ検知器６によって検知されたＰＨ値に応じて希釈弁７と排水弁３Ａおよび３Ｂとを開閉するための制御器４が設けられている。
【００２５】
このように構成されたピット敷地内排水設備においては、雨が降るとビット敷地１１の水溜め２に雨水が溜まる。そして、攪拌機１０はビット敷地１１内に溜まった水を攪拌する。ＰＨ検出器６はビット敷地１１の水溜め２に溜まった水のＰＨ値を検出する。水位検知器５はビット敷地１１の水溜め２に溜まった水の水位を検知する。
【００２６】
その後、タンク１に亀裂等が生じると、タンク１に貯蔵された化成ソータが亀裂を通ってビット敷地１１の水溜め２へ漏れる。このため、ＰＨ検出器６によって検出されたＰＨ値が上昇する。
【００２７】
カ性ソーダがタンク１からさらに漏れると、ＰＨ検出器６によって検出されたＰＨ値がさらに上昇して、タンク１が設置された地域の排出基準協定値を上回る異常値となる。ＰＨ値が異常値になると、制御器４は、排水弁３Ａおよび３Ｂを閉じ、希釈弁７を開く。このため、希釈供給管８を通って塩酸が水溜め２へ供給される。そして、希釈供給管８を通って供給された塩酸によって、タンク１から漏れたカ性ソーダが希釈される。このため、ＰＨ検出器６によって検出されたＰＨ値が下降する。
【００２８】
ＰＨ検出器６によって検出されたＰＨ値がさらに下降して異常値を下回り、適正なＰＨ値になると、制御器４は希釈弁７を閉じる。次に制御器４は、排出弁３Ａおよび３Ｂを開く。そして、ＰＨ値が適正になった水が水溜め２から排水溝９へ排出される。
【００２９】
ＰＨ検出器６によって検出されたＰＨ値が異常値にならないときは、制御器４は排水弁３Ａおよび３Ｂを開き、ビット敷地１１の水溜め２に溜まった水を常時排水するので、排水管、ストレーナおよび弁回りに付着するゴミ等による詰まりの発生を早期に防止することができる。
【００３０】
以上のように本実施の形態によれば、ピット敷地１１内に溜まった水のＰＨ値を検知するＰＨ検知器６と、ピット敷地１１内に溜まった水を希釈する希釈液を供給するための希釈弁７と、ＰＨ検知器６によって検知されたＰＨ値に応じて希釈弁７と排水弁３Ａおよび３Ｂとを開閉するための制御器４とが設けられている。このため、タンク１に生じた亀裂からダンク１に貯蔵された液体がピット敷地１１内に漏れて、溜まった水のＰＨ値に異常が生じても、ピット敷地１１内の水を速やかに希釈して排水することができる。
【００３１】
なお本実施の形態では、希釈液が酸性の液体である例を示したが、本発明はこれに限定されない。希釈液は、水であってもよい。
【００３２】
また本実施の形態では、アルカリ性の液体がタンク１に貯蔵されている例を示したが、本発明はこれに限定されない。タンク１に貯蔵される液体は酸性の液体、例えば塩酸または硫酸であってもよい。この場合、希釈液は、アルカリ性の溶液、例えばナトリウム溶液またはカ性ソーダ、もしくは水を使用すればよい。
【００３３】
このように本実施の形態によれば、ビット敷地１１内に溜まった水のＰＨ値を自動的に調整して、排出水の水質を管理することができるので、従来のビット敷地内排水設備のように日常点検による誤操作が発生せず、タンク１からの貯蔵液体の漏れおよびビット敷地外からの異物の投げ入れ等の外乱要因によるＰＨ値異常、およびゴミ等の詰まりを早期に発見して防止することができる。そして、日常点検の負担も低減することができる。
【産業上の利用可能性】
【００３４】
本発明は、タンクが設置されたピット敷地内に溜まった水を排出するピット敷地内排水設備に適用することができる。
【図面の簡単な説明】
【００３５】
【図１】本実施の形態に係るピット敷地内排水設備の構成を模式的に示す図
【符号の説明】
【００３６】
１  タンク
３Ａ、３Ｂ  排水弁
４  制御器
６  ＰＨ検知器
７  希釈弁
１１  ビット敷地
【図１】
2005206177.tif 000003